(57)【要約】【課題】ユーザーの作業負担を軽減しつつ、適切な位置で改行された文章を表示することができる表示処理装置を提供する。【解決手段】表示処理装置１００は、表示部２１、及び制御部１０を備える。制御部１０は、表示部２１に表示する対象の表示対象単語が第１単語及び第２単語のいずれかに該当するか否かを判定する。第１単語は、第１単語を構成する複数の文字の途中で改行されることを禁止する。第２単語は、指定位置で改行を許容する。制御部１０は、表示対象単語が第１単語に該当すると判定すると、表示対象単語の直前で改行させて文章を表示させる。制御部１０は、表示対象単語が第２単語に該当すると判定すると、指定位置が１行の末尾を越えるか否かを判定し、指定位置が１行の末尾を越えると判定すると、表示対象単語の直前で改行させて文章を表示させ、指定位置が１行の末尾を越えないと判定すると、指定位置で改行させて文章を表示させる。【選択図】図２
2020016781.tif 000002
【特許請求の範囲】
【請求項１】
文章を１行ずつ改行して表示する表示部と、
前記文章を構成する複数の単語を記憶する記憶部と、
前記表示部の動作を制御する制御部と
を備え、
前記複数の単語は、第１単語及び第２単語を含み、
前記第１単語は、前記第１単語を構成する複数の文字の途中で改行されることを禁止する単語を示し、
前記第２単語は、第１ブロック及び第２ブロックを含み、前記第１ブロックと前記第２ブロックとの間の指定位置で改行を許容する単語を示し、
前記制御部は、前記文章を構成する単語を表示させる際に、前記表示部に表示させる対象の単語を示す表示対象単語が前記１行の末尾を越えるか否かを判定し、
前記制御部は、前記表示対象単語が前記１行の末尾を越えると判定すると、改行位置決定処理を実行し、
前記改行位置決定処理は、前記表示対象単語が前記第１単語及び前記第２単語のいずれかに該当するか否かを判定し、
前記表示対象単語が前記第１単語に該当すると判定すると、前記表示対象単語の直前で改行させて前記文章を表示させ、
前記表示対象単語が前記第２単語に該当すると判定すると、前記指定位置が前記１行の末尾を越えるか否かを判定し、前記指定位置が前記１行の末尾を越えると判定すると、前記表示対象単語の直前で改行させて前記文章を表示させ、前記指定位置が前記１行の末尾を越えないと判定すると、前記指定位置で改行させて前記文章を表示させる処理を示す、表示処理装置。
【請求項２】
前記制御部は、認証処理を実行することにより、ユーザーが前記表示処理装置にログインしたことを示すログイン履歴を前記記憶部に記憶させ、
前記制御部は、前記ログイン履歴に基づいて、前記改行位置決定処理を実行するか否かを決定する、請求項１に記載の表示処理装置。
【請求項３】
前記制御部は、前記ログイン履歴を参照することにより、前記ユーザーが前記表示処理装置にログインしたことがあるか否かを判定し、
前記制御部は、前記ユーザーが前記表示処理装置にログインしたことがないと判定すると、前記改行位置決定処理を実行し、前記ユーザーが前記表示処理装置にログインしたことがあると判定すると、前記改行位置決定処理を実行しない、請求項２に記載の表示処理装置。
【請求項４】
前記制御部は、前記表示部が表示した表示画面のうち、ユーザーが閲覧した閲覧表示画面の履歴を示す閲覧画面履歴を前記記憶部に記憶させ、
前記制御部は、前記閲覧画面履歴に基づいて、前記改行位置決定処理を実行するか否かを決定する、請求項１〜請求項３のいずれか１項に記載の表示処理装置。
【請求項５】
前記制御部は、表示する対象の表示画面を示す対象表示画面を前記表示部に表示させる際に、前記閲覧画面履歴を参照することにより、前記ユーザーが前記対象表示画面を閲覧したことがあるか否かを判定し、
前記制御部は、前記ユーザーが前記対象表示画面を閲覧したことがないと判定すると、前記改行位置決定処理を実行し、前記ユーザーが前記対象表示画面を閲覧したことがあると判定すると、前記改行位置決定処理を実行しない、請求項４に記載の表示処理装置。
【請求項６】
前記表示部は、表示画面を表示し、
前記表示画面は、先行表示画面及び前記先行表示画面が表示された以降に表示される後行表示画面を含み、
前記制御部は、前記先行表示画面に含まれる閲覧単語の履歴を示す閲覧単語履歴を前記記憶部に記憶させ、
前記制御部は、前記後行表示画面を前記表示部に表示させる際に、前記閲覧単語履歴に基づいて、前記改行位置決定処理を実行するか否かを判定する、請求項１〜請求項５のいずれか１項に記載の表示処理装置。
【請求項７】
前記制御部は、前記表示部が前記表示対象単語を表示する際に、前記表示対象単語が前記閲覧単語であるか否かを判定し、
前記制御部は、前記表示対象単語が前記閲覧単語ではないと判定すると、前記改行位置決定処理を実行し、前記表示対象単語が前記閲覧単語であると判定すると、前記改行位置決定処理を実行しない、請求項６に記載の表示処理装置。
【請求項８】
前記表示部は、表示画面を表示し、
前記表示画面は、先行表示画面及び前記先行表示画面が表示された以降に表示される後行表示画面を含み、
前記制御部は、ユーザーが前記先行表示画面においてスクロール操作をしたか否かを示す操作履歴を前記記憶部に記憶させ、
前記制御部は、前記後行表示画面を前記表示部に表示させる際に、前記操作履歴に基づいて、記改行位置決定処理を実行するか否かを決定する、請求項１〜請求項７のいずれか１項に記載の表示処理装置。
【請求項９】
前記制御部は、前記先行表示画面において前記ユーザーが前記スクロール操作をしたと判定すると、前記後行表示画面において前記改行位置決定処理を実行し、前記先行表示画面において前記ユーザーが前記スクロール操作をしていないと判定すると、前記後行表示画面において前記改行位置決定処理を実行しない、請求項８に記載の表示処理装置。
【発明の詳細な説明】
【技術分野】
【０００１】
本発明は、表示処理装置に関する。
【背景技術】
【０００２】
テキストを最適な形態で表示する表示処理装置が開示されている。例えば、特許文献１には、モニターの表示能力に応じてテキストを表示する表示処理装置が開示されている。詳しくは、特許文献１に開示の表示処理装置は、データ記憶部と、表示能力情報記憶部と、表示制御部とを備える。データ記憶部は、テキストデータ及び改行優先度情報を記憶する。改行優先度情報は、形態素毎に付与される改行優先度を示す。形態素は、意味を持つ言葉に細分化されたテキストを示す。表示能力情報記憶部は、モニターの表示能力に関する情報を記憶する。モニターの表示能力とは、表示可能な行数及び１行当たりの文字表示数等である。表示制御部は、モニターの表示能力に関する情報と、改行優先度情報とに基づいて適当な位置に改行コードを挿入したテキストをモニターに表示させる。
【先行技術文献】
【特許文献】
【０００３】
【特許文献１】特開２００８−２２５０４９号公報
【発明の概要】
【発明が解決しようとする課題】
【０００４】
しかしながら、特許文献１に開示の表示処理装置では、テキスト（文章）を適切な位置で改行させて表示させるために、形態素毎に改行優先度を予め付与する作業が必要である。したがって、ユーザーの作業負担が増大する。
【０００５】
本発明は、上記課題に鑑み、ユーザーの作業負担を軽減しつつ、適切な位置で改行された文章を表示することができる表示処理装置を提供することを目的とする。
【課題を解決するための手段】
【０００６】
本発明に係る表示処理装置は、表示部と、記憶部と、制御部とを備える。前記表示部は、文章を１行ずつ改行して表示する。前記記憶部は、前記文章を構成する複数の単語を記憶する。前記制御部は、前記表示部の動作を制御する。前記複数の単語は、第１単語及び第２単語を含む。前記第１単語は、前記第１単語を構成する複数の文字の途中で改行されることを禁止する単語を示す。前記第２単語は、第１ブロック及び第２ブロックを含み、前記第１ブロックと前記第２ブロックとの間の指定位置で改行を許容する単語を示す。前記制御部は、前記文章を構成する単語を表示させる際に、前記表示部に表示させる対象の単語を示す表示対象単語が前記１行の末尾を越えるか否かを判定する。前記制御部は、前記表示対象単語が前記１行の末尾を越えると判定すると、改行位置決定処理を実行する。前記改行位置決定処理は、前記表示対象単語が前記第１単語及び前記第２単語のいずれかに該当するか否かを判定し、前記表示対象単語が前記第１単語に該当すると判定すると、前記表示対象単語の直前で改行させて前記文章を表示させ、前記表示対象単語が前記第２単語に該当すると判定すると、前記指定位置が前記１行の末尾を越えるか否かを判定し、前記指定位置が前記１行の末尾を越えると判定すると、前記表示対象単語の直前で改行させて前記文章を表示させ、前記指定位置が前記１行の末尾を越えないと判定すると、前記指定位置で改行させて前記文章を表示させる処理を示す。
【発明の効果】
【０００７】
本発明の表示処理装置によれば、ユーザーの作業負担を軽減しつつ、適切な位置で改行された文章を表示することができる。
【図面の簡単な説明】
【０００８】
【図１】本発明の実施形態１に係る表示処理装置の構成を示す図である。
【図２】本発明の実施形態１に係る表示処理装置の構成を示すブロック図である。
【図３】本発明の実施形態１に係る改行禁止単語の一例を示す図である。
【図４】本発明の実施形態１に係る改行位置指定単語の一例を示す図である。
【図５】（ａ）及び（ｂ）は、本発明の実施形態１に係る改行禁止単語を含む文章を示す図である。
【図６】（ａ）及び（ｂ）は、本発明の実施形態１に係る改行位置指定単語を含む文章を示す図である。
【図７】本発明の実施形態１に係る改行位置決定処理を示すフローチャートである。
【図８】本発明の実施形態２に係る表示処理装置の構成を示すブロック図である。
【図９】本発明の実施形態２に係る第１実行判定処理を示すフローチャートである。
【図１０】本発明の実施形態３に係る表示処理装置の構成を示すブロック図である。
【図１１】本発明の実施形態３に係る第２実行判定処理を示すフローチャートである。
【図１２】本発明の実施形態４に係る表示処理装置の構成を示すブロック図である。
【図１３】本発明の実施形態４に係る第３実行判定処理を示すフローチャートである。
【図１４】本発明の実施形態４に係る改行位置指定単語を含む文章を示す図である。
【図１５】本発明の実施形態５に係る表示処理装置の構成を示すブロック図である。
【図１６】本発明の実施形態５に係る第４実行判定処理を示すフローチャートである。
【図１７】（ａ）及び（ｂ）は、本発明の実施形態５に係る改行位置指定単語を含む文章を示す図である。
【発明を実施するための形態】
【０００９】
以下、図面を参照して、本発明に係る表示処理装置の実施形態について説明する。なお、図中、同一又は相当部分については同一の参照符号を付して説明を繰り返さない。
【００１０】
［実施形態１］
まず、図１を参照して、本発明の実施形態１に係る表示処理装置１００の構成について説明する。図１は、実施形態１に係る表示処理装置１００の構成を示す図である。本実施形態において、表示処理装置１００は、携帯型端末に適用される。
【００１１】
図１に示すように、表示処理装置１００は、タッチディスプレー２を有する。
【００１２】
タッチディスプレー２は、表示部の一例であるディスプレー２１を有する。ディスプレー２１は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）である。
【００１３】
ディスプレー２１は、制御部１０による各種処理の結果等を表示する。本実施形態において、ディスプレー２１は、表示画面Ｇを表示する。表示画面Ｇは、文章を１行ずつ改行して表示する。文章は、複数の単語によって構成される。
【００１４】
次に、図２を参照して、本発明の実施形態１に係る表示処理装置１００の構成について説明する。図２は、実施形態１に係る表示処理装置１００の構成を示すブロック図である。
【００１５】
図２に示すように、表示処理装置１００は、タッチディスプレー２に加え、記憶部９及び制御部１０を備える。
【００１６】
タッチディスプレー２は、タッチセンサー２２を更に有する。タッチセンサー２２は、被検知体によるタッチを検知すると、タッチを検知した位置を示す検知信号を生成する。タッチセンサー２２は、例えば、抵抗膜方式のタッチセンサーである。
【００１７】
記憶部９は、典型的には、半導体メモリーを含む。具体的には、記憶部９は、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶部９は、表示処理装置１００の各部の動作を制御するための制御プログラムを記憶する。制御プログラムは、制御部１０によって実行される。なお、記憶部９は、ＨＤＤ（Ｈａｒｄ  Ｄｉｓｋ  Ｄｒｉｖｅ）及びＳＳＤ（Ｓｏｌｉｄ  Ｓｔａｔｅ  Ｄｒｉｖｅ）のようなストレージデバイスを含んでもよい。
【００１８】
記憶部９は、複数の単語を示す情報を記憶する。複数の単語は、複数の改行禁止単語９１１及び複数の改行位置指定単語９２１を含む。なお、改行禁止単語９１１は、第１単語の一例であり、改行位置指定単語９２１は、第２単語の一例である。
【００１９】
複数の改行禁止単語９１１の各々は、各改行禁止単語９１１を構成する複数の文字の途中で改行されることを禁止する単語を示す。複数の改行禁止単語９１１の各々は、禁止単語データベース９１にユーザーによって予め登録される。
【００２０】
複数の改行位置指定単語９２１の各々は、指定位置で改行することを許容する単語を示す。複数の改行位置指定単語９２１の各々は、指定単語データベース９２にユーザーによって予め登録される。
【００２１】
制御部１０は、ＣＰＵ（Ｃｅｎｔｒａｌ  Ｐｒｏｃｅｓｓｉｎｇ  Ｕｎｉｔ）のようなプロセッサーによって構成される。制御部１０は、記憶部９に記憶された制御プログラムを実行することによって、表示処理装置１００の各部の動作を制御する。制御部１０は、例えば、ディスプレー２１の動作を制御する。
【００２２】
次に、図３を参照して、本発明の実施形態１に係る改行禁止単語９１１について説明する。図３は、実施形態１に係る改行禁止単語９１１の一例を示す図である。
【００２３】
図３に示すように、複数の改行禁止単語９１１は、禁止単語データベース９１に登録されている。図３に示す例において、複数の改行禁止単語９１１は、「ボーレート」及び「パリティー」を含む。
【００２４】
複数の改行禁止単語９１１の各々には、禁止単語ＩＤ９１２が関連付けられる。複数の禁止単語ＩＤ９１２の各々は、対応する改行禁止単語９１１を識別するための情報である。複数の禁止単語ＩＤ９１２の各々は、例えば、禁止単語データベース９１に登録された順に、複数の改行禁止単語９１１の各々に付与されるシーケンス番号である。
【００２５】
図３に示す例において、改行禁止単語９１１「ボーレート」には、禁止単語ＩＤ９１２「Ａ＿１」が関連付けられ、改行禁止単語９１１「パリティー」には、禁止単語ＩＤ９１２「Ａ＿２」が関連付けられる。
【００２６】
続いて、図４を参照して、本発明の実施形態１に係る改行位置指定単語９２１について説明する。図４は、実施形態１に係る改行位置指定単語９２１の一例を示す図である。
【００２７】
図４に示すように、複数の改行位置指定単語９２１は、指定単語データベース９２に登録されている。図４に示す例において、複数の改行位置指定単語９２１は、「シリアルインターフェイス」及び「パラレルインターフェイス」を含む。
【００２８】
複数の改行位置指定単語９２１の各々には、指定単語ＩＤ９２２が関連付けられる。複数の指定単語ＩＤ９２２の各々は、対応する改行位置指定単語９２１を識別するための情報である。複数の指定単語ＩＤ９２２の各々は、例えば、指定単語データベース９２に登録された順に複数の改行位置指定単語９２１の各々に付与されるシーケンス番号である。
【００２９】
図４に示す例において、改行位置指定単語９２１「シリアルインターフェイス」には、指定単語ＩＤ９２２「Ｂ＿１」が関連付けられ、改行位置指定単語９２１「パラレルインターフェイス」には、指定単語ＩＤ９２２「Ｂ＿２」が関連付けられる。
【００３０】
複数の改行位置指定単語９２１の各々は、第１ブロック９２１ａ及び第２ブロック９２１ｂを含む。本実施形態において、複数の改行位置指定単語９２１の各々は、第１ブロック９２１ａと第２ブロック９２１ｂとによって構成される。複数の改行位置指定単語９２１の各々は、第１ブロック９２１ａと第２ブロック９２１ｂとの間の指定位置で改行することを許容する単語である。
【００３１】
図４に示す例において、改行位置指定単語９２１「シリアルインターフェイス」は、第１ブロック９２１ａ「シリアル」と第２ブロック９２１ｂ「インターフェイス」とを含む。換言すると、改行位置指定単語９２１「シリアルインターフェイス」は、第１ブロック９２１ａ「シリアル」と第２ブロック９２１ｂ「インターフェイス」との間で改行することが許容される。
【００３２】
また、改行位置指定単語９２１「パラレルインターフェイス」は、第１ブロック９２１ａ「パラレル」と第２ブロック９２１ｂ「インターフェイス」とを含む。換言すると、改行位置指定単語９２１「パラレルインターフェイス」は、第１ブロック９２１ａ「パラレル」と第２ブロック９２１ｂ「インターフェイス」との間で改行することが許容される。
【００３３】
第１ブロック９２１ａ及び第２ブロック９２１ｂは、対応する改行位置指定単語９２１に関連付けられて、指定単語データベース９２に登録される。
【００３４】
本実施形態において、制御部１０は、文章を構成する複数の単語を順次表示画面Ｇに表示させる。制御部１０は、複数の単語を順次表示画面Ｇに表示させる際に、表示対象単語が１行の末尾を越えるか否かを判定する。表示対象単語は、複数の単語を順次表示させる際に表示画面Ｇに表示させる対象の単語を示す。制御部１０は、表示対象単語が１行の末尾を越えると判定すると、改行位置決定処理を実行する。
【００３５】
改行位置決定処理において、制御部１０は、文章を構成する複数の単語のうち、表示対象単語が改行禁止単語９１１及び改行位置指定単語９２１のいずれかに該当するか否かを判定する。
【００３６】
続いて、図５（ａ）及び図５（ｂ）を参照して、実施形態１に係る改行禁止単語９１１を含む文章Ｓ１について説明する。
【００３７】
図５（ａ）及び図５（ｂ）は、実施形態１に係る改行禁止単語９１１を含む文章Ｓ１を示す図である。詳しくは、図５（ａ）は、改行位置決定処理が実行されない場合の文章Ｓ１の一例を示し、図５（ｂ）は、改行位置決定処理が実行された場合の文章Ｓ１の一例を示す。
【００３８】
図５（ａ）及び図５（ｂ）に示す例において、表示画面Ｇは、１行に１５文字の文字を表示することができる。
【００３９】
文章Ｓ１は、「シリアルインターフェイスのボーレートを設定します。」である。文章Ｓ１は、改行禁止単語９１１「ボーレート」（図３参照）を含む。文章Ｓ１の１５文字目の文字は、改行禁止単語９１１「ボーレート」の「ボ」と「レ」との間の文字「ー」である。
【００４０】
したがって、図５（ａ）に示すように、改行位置決定処理が実行されない場合において、文章Ｓ１は、改行禁止単語９１１「ボーレート」の途中で改行される。詳しくは、文章Ｓ１は、「シリアルインターフェイスのボー」と、「レートを設定します。」との間で改行される。
【００４１】
一方、図５（ｂ）に示すように、改行位置決定処理が実行されると、文章Ｓ１は、「シリアルインターフェイスの」と「ボーレートを設定します。」との間で改行される。すなわち、文章Ｓ１は、改行禁止単語９１１「ボーレート」の直前で改行され、改行禁止単語９１１「ボーレート」の途中で改行されない。これにより、ユーザーは、改行禁止単語９１１「ボーレート」を判読しやすくなる。この結果、ユーザーは、図５（ａ）に示す文章Ｓ１よりも図５（ｂ）に示す文章Ｓ１に対する判読性が向上する。
【００４２】
次に、図６（ａ）及び図６（ｂ）を参照して、実施形態１に係る改行位置指定単語９２１を含む文章Ｓ１について説明する。
【００４３】
図６（ａ）及び図６（ｂ）は、実施形態１に係る改行位置指定単語９２１を含む文章Ｓ１を示す図である。詳しくは、図６（ａ）は、改行位置決定処理が実行されない場合の文章Ｓ１の一例を示し、図６（ｂ）は、改行位置決定処理が実行された場合の文章Ｓ１の一例を示す。
【００４４】
図６（ａ）及び図６（ｂ）に示す例において、表示画面Ｇは、１行に１０文字の文字を表示することができる。
【００４５】
文章Ｓ１は、「シリアルインターフェイスのボーレートを設定します。」である。文章Ｓ１は、改行位置指定単語９２１「シリアルインターフェイス」（図４参照）を含む。文章Ｓ１の１０文字目の文字は、改行位置指定単語９２１「シリアルインターフェイス」の「フ」と「イ」との間の文字「ェ」である。
【００４６】
したがって、図６（ａ）に示すように、改行位置決定処理が実行されない場合において、文章Ｓ１は、改行位置指定単語９２１「シリアルインターフェイス」の途中で改行される。詳しくは、文章Ｓ１は、改行位置指定単語９２１「シリアルインターフェ」と「イス」との間で改行される。
【００４７】
図４を参照して説明したように、改行位置指定単語９２１「シリアルインターフェイス」は、第１ブロック９２１ａ「シリアル」と第２ブロック９２１ｂ「インターフェイス」とを含み、第１ブロック９２１ａ「シリアル」と第２ブロック９２１ｂ「インターフェイス」との間で改行するように指定位置が指定されている。
【００４８】
したがって、改行位置決定処理が実行されると、図６（ｂ）に示すように、文章Ｓ１は、「シリアル」と「インターフェイスの」との間で改行され、「インターフェイスの」と「ボーレートを設定し」との間で改行される。すなわち、文章Ｓ１は、改行禁止単語９１１「シリアルインターフェイス」の指定位置で改行される。これにより、ユーザーは、改行位置指定単語９２１「シリアルインターフェイス」が判読しやすくなる。この結果、ユーザーは、図６（ａ）に示す文章Ｓ１よりも図６（ｂ）に示す文章Ｓ１に対する判読性が向上する。
【００４９】
続いて、図７を参照して、本発明の実施形態１に係る改行位置決定処理について説明する。図７は、実施形態１に係る改行位置決定処理を示すフローチャートである。制御部１０は、１行の末尾を表示対象単語が越えると判定すると、改行位置決定処理を開始する。
【００５０】
図７に示すように、制御部１０は、表示対象単語が改行禁止単語９１１に該当するか否かを判定する（ステップＳ１０１）。制御部１０は、記憶部９に記憶された禁止単語データベース９１の中から、表示対象単語と一致する単語を探索することにより、表示対象単語が改行禁止単語９１１に該当するか否かを判定する。
【００５１】
制御部１０は、表示対象単語が改行禁止単語９１１に該当しないと判定すると（ステップＳ１０１；Ｎｏ）、表示対象単語が改行位置指定単語９２１に該当するか否かを判定する（ステップＳ１０２）。
【００５２】
制御部１０は、記憶部９に記憶された指定単語データベース９２の中から、表示対象単語と一致する単語を探索することにより、表示対象単語が改行位置指定単語９２１に該当するか否かを判定する。制御部１０は、表示対象単語が改行位置指定単語９２１に該当しないと判定すると（ステップＳ１０２；Ｎｏ）、改行位置決定処理を終了する。この結果、１行に表示できる文字数に応じた位置で改行された文章Ｓ１が表示画面Ｇに表示される。
【００５３】
一方、制御部１０は、表示対象単語が改行位置指定単語９２１に該当すると判定すると（ステップＳ１０２；Ｙｅｓ）、改行位置指定単語９２１の指定位置が１行の末尾を越えるか否かを判定する（ステップＳ１０３）。
【００５４】
制御部１０は、改行位置指定単語９２１の指定位置が１行の末尾を越えないと判定すると（ステップＳ１０３；Ｎｏ）、指定位置を改行位置に決定して（ステップＳ１０４）、改行位置決定処理を終了する。この結果、指定位置で改行された文章Ｓ１が表示画面Ｇに表示される。
【００５５】
また、制御部１０は、表示対象単語が改行禁止単語９１１に該当すると判定した場合（ステップＳ１０１；Ｙｅｓ）、又は、改行位置指定単語９２１の指定位置が１行の末尾を越えると判定した場合（ステップＳ１０３；Ｙｅｓ）、表示対象単語の直前を改行位置に決定して（ステップＳ１０５）、改行位置決定処理を終了する。この結果、表示対象単語の直前で改行された文章Ｓ１が表示画面Ｇに表示される。
【００５６】
以上、実施形態１について説明した。本実施形態によれば、ユーザーが改行禁止単語９１１及び／又は改行位置指定単語９２１を予め登録するだけで、判読しやすい文章Ｓ１が表示画面Ｇに表示される。よって、ユーザーの作業負担を軽減しつつ、適切な位置で改行された文章Ｓ１を表示することができる。
【００５７】
なお、本実施形態において、改行位置指定単語９２１が２つのブロック（第１ブロック９２１ａと第２ブロック９２１ｂと）によって構成される場合を説明したが、改行位置指定単語９２１は、３つ以上のブロックによって構成されてもよい。
【００５８】
［実施形態２］
続いて、図８及び図９を参照して、実施形態２に係る表示処理装置１００について説明する。実施形態２では、制御部１０が、ログイン履歴データベース９４に基づいて、改行位置決定処理を実行するか否かを判定する点が実施形態１と異なる。以下、実施形態２について、実施形態１と異なる事項について説明し、実施形態１と重複する部分についての説明は割愛する。
【００５９】
図８は、実施形態２に係る表示処理装置１００の構成を示すブロック図である。
【００６０】
図８に示すように、記憶部９は、ユーザーデータベース９３、及びログイン履歴データベース９４を更に記憶する。
【００６１】
ユーザーデータベース９３には、複数のユーザーに関する情報が予め登録される。以下、ユーザーに関する情報を「ユーザー情報」と記載する。ユーザー情報は、ＩＤ情報及びパスワードを示す情報を含む。ＩＤ情報は、ユーザーを識別するための情報である。以下では、ユーザーデータベース９３に登録されているユーザー情報を「登録ユーザー情報９３１」と記載する。
【００６２】
ログイン履歴データベース９４には、複数のログイン履歴９４１を示す情報が登録される。複数のログイン履歴９４１の各々は、表示処理装置１００にログインしたユーザーの履歴を示す。
【００６３】
本実施形態において、制御部１０は、認証処理を実行する。詳しくは、制御部１０は、入力ユーザー情報が登録ユーザー情報９３１と一致するか否かを判定することにより、認証処理を実行する。本実施形態において、入力ユーザー情報は、タッチディスプレー２を介してユーザーが入力するユーザー情報を示す。
【００６４】
認証処理が成功したユーザーは、表示処理装置１００の機能を使用することができる。以下、認証処理が成功したユーザーを「認証成功ユーザー」と記載する。なお、認証処理が成功しなかったユーザーは、表示処理装置１００の機能を使用することが制限される。
【００６５】
制御部１０は、認証処理が成功すると、認証成功ユーザーに対応するログイン履歴９４１を示す情報をログイン履歴データベース９４に登録する。本実施形態において、ログイン履歴９４１を示す情報は、認証成功ユーザーのＩＤ情報を含む。
【００６６】
また、制御部１０は、認証処理が成功した後、ディスプレー２１に表示画面Ｇを表示させる際に、表示対象単語が１行の末尾を越えると判定すると、第１実行判定処理を実行する。第１実行判定処理において、制御部１０は、ログイン履歴データベース９４を参照して、改行位置決定処理を実行するか否かを判定する。詳しくは、制御部１０は、認証成功ユーザーが、表示処理装置１００にログインしたことがあるユーザーであるか否かを判定することにより、改行位置決定処理を実行するか否かを判定する。
【００６７】
図９は、実施形態２に係る第１実行判定処理を示すフローチャートである。
【００６８】
図９に示すように、制御部１０は、ログイン履歴データベース９４を参照して、認証成功ユーザーが、表示処理装置１００にログインしたことがあるか否かを判定する（ステップＳ２０１）。詳しくは、制御部１０は、ログイン履歴データベース９４の中から、認証成功ユーザーのＩＤ情報と一致するＩＤ情報を探索する。制御部１０は、ログイン履歴データベース９４の中から、認証成功ユーザーのＩＤ情報と一致するＩＤ情報を探知できない場合、認証成功ユーザーが、表示処理装置１００にログインしたことがないと判定する（ステップＳ２０１；Ｎｏ）。制御部１０は、認証成功ユーザーが、表示処理装置１００にログインしたことがないと判定すると（ステップＳ２０１；Ｎｏ）、改行位置決定処理を実行して（ステップＳ２０２）、第１実行判定処理を終了する。
【００６９】
一方、制御部１０は、ログイン履歴データベース９４の中から、認証成功ユーザーのＩＤ情報と一致するＩＤ情報を探知すると、認証成功ユーザーが、表示処理装置１００にログインしたことがあると判定する（ステップＳ２０１；Ｙｅｓ）。制御部１０は、認証成功ユーザーが、表示処理装置１００にログインしたことがあると判定すると（ステップＳ２０１；Ｙｅｓ）、改行位置決定処理を実行することなく、第１実行判定処理を終了する。
【００７０】
以上、実施形態２について説明した。一般に、ユーザーは、過去に閲覧したことがある文章Ｓ１は判読しやすい。一方、文章Ｓ１の改行が多くなりすぎると、判読性が低下する虞がある。本実施形態によれば、制御部１０は、認証成功ユーザーが、表示処理装置１００に過去にログインしたことがあるか否かを判定することにより、改行位置決定処理を実行するか否かを判定する。よって、ユーザーの判読性の低下を抑制する。
【００７１】
なお、本実施形態において、表示対象単語が１行の末尾を越えると判定すると、第１実行判定処理が実行される場合を説明したが、第１実行判定処理は、例えば、制御部１０がディスプレー２１に表示画面Ｇを表示させる際に実行されてもよい。
【００７２】
［実施形態３］
続いて、図１０及び図１１を参照して、実施形態３に係る表示処理装置１００について説明する。実施形態３では、制御部１０が閲覧画面履歴データベース９５に基づいて、改行位置決定処理を実行するか否かを判定する点が実施形態１及び実施形態２と異なる。以下、実施形態３について、実施形態１及び実施形態２と異なる事項について説明し、実施形態１及び実施形態２と重複する部分についての説明は割愛する。
【００７３】
図１０は、実施形態３に係る表示処理装置１００の構成を示すブロック図である。図１０に示すように、記憶部９は、閲覧画面履歴データベース９５を更に記憶する。閲覧画面履歴データベース９５には、複数の閲覧画面履歴９５１を示す情報が登録される。各閲覧画面履歴は、ユーザーが閲覧した表示画面Ｇの履歴を示す。以下、ユーザーによって閲覧された表示画面Ｇを「閲覧表示画面Ｇ」と記載する。
【００７４】
閲覧画面履歴９５１を示す情報は、閲覧表示画面Ｇを閲覧したユーザーを識別する情報と閲覧表示画面Ｇを識別する情報とを含む。以下、閲覧表示画面Ｇを閲覧したユーザーを「画面閲覧ユーザー」と記載し、画面閲覧ユーザーを識別する情報を「画面閲覧ユーザー識別情報」と記載する。また、閲覧表示画面Ｇを識別する情報を「閲覧画面識別情報」と記載する。画面閲覧ユーザー識別情報は、例えば、実施形態２で説明した認証処理によって取得される。
【００７５】
本実施形態において、制御部１０は、ディスプレー２１に表示画面Ｇを表示させる際に、表示対象単語が１行の末尾を越えると判定すると、第２実行判定処理を実行する。以下、ディスプレー２１に表示させる表示画面Ｇを「第１対象表示画面Ｇ」と記載する。なお、第１対象表示画面Ｇは、対象表示画面の一例である。
【００７６】
第２実行判定処理において、制御部１０は、閲覧画面履歴データベース９５を参照して、第１対象表示画面Ｇを閲覧しようとするユーザーが第１対象表示画面Ｇを閲覧したことがあるか否かを判定する。制御部１０は、第１対象表示画面Ｇを閲覧しようとするユーザーが第１対象表示画面Ｇを閲覧したことがあるか否かに基づいて、改行位置決定処理を実行するか否かを判定する。以下、第１対象表示画面Ｇを閲覧しようとするユーザーを「第１対象ユーザー」と記載する。
【００７７】
図１１は、実施形態３に係る第２実行判定処理を示すフローチャートである。図１１に示すように、制御部１０は、閲覧画面履歴データベース９５を参照して、第１対象ユーザーが第１対象表示画面Ｇを閲覧したことがあるか否かを判定する（ステップＳ３０１）。詳しくは、制御部１０は、第１対象ユーザーを識別する情報が画面閲覧ユーザー識別情報と一致し、且つ、第１対象表示画面Ｇを識別する情報が閲覧画面識別情報と一致する閲覧画面履歴９５１を、閲覧画面履歴データベース９５の中から探索することにより、第１対象ユーザーが第１対象表示画面Ｇを閲覧したことがあるか否かを判定する。
【００７８】
制御部１０は、第１対象ユーザーを識別する情報が画面閲覧ユーザー識別情報と一致し、且つ、第１対象表示画面Ｇを識別する情報が閲覧画面識別情報と一致する閲覧画面履歴９５１を、閲覧画面履歴データベース９５の中から探知すると、第１対象ユーザーが第１対象表示画面Ｇを閲覧したことがあると判定する（ステップＳ３０１；Ｙｅｓ）。制御部１０は、第１対象ユーザーが第１対象表示画面Ｇを閲覧したことがあると判定すると（ステップＳ３０１；Ｙｅｓ）、改行位置決定処理を実行することなく、第２実行判定処理を終了する。
【００７９】
一方、制御部１０は、第１対象ユーザーを識別する情報が画面閲覧ユーザー識別情報と一致し、且つ、第１対象表示画面Ｇを識別する情報が閲覧画面識別情報と一致する閲覧画面履歴９５１を、閲覧画面履歴データベース９５の中から探知できない場合、第１対象ユーザーが第１対象表示画面Ｇを閲覧したことがないと判定する（ステップＳ３０１；Ｎｏ）。制御部１０は、第１対象ユーザーが第１対象表示画面Ｇを閲覧したことがないと判定すると（ステップＳ３０１；Ｎｏ）、改行位置決定処理を実行して（ステップＳ３０２）、第２実行判定処理を終了する。
【００８０】
以上、実施形態３について説明した。一般に、ユーザーは、過去に閲覧したことがある表示画面Ｇの内容（文章）を判読しやすい。一方で、改行箇所が多くなりすぎると、判読性が低下する虞がある。本実施形態によれば、制御部１０は、第１対象ユーザーが第１対象表示画面Ｇを閲覧したことがあるか否かを判定することにより、改行位置決定処理を実行するか否かを判定する。よって、ユーザーの判読性の低下を抑制する。
【００８１】
なお、本実施形態において、表示対象単語が１行の末尾を越えると判定すると、第２実行判定処理が実行される場合を説明したが、第２実行判定処理は、例えば、制御部１０が第１対象表示画面Ｇをディスプレー２１に表示させる際に実行されてもよい。
【００８２】
［実施形態４］
続いて、図１２〜図１４を参照して、実施形態４に係る表示処理装置１００について説明する。実施形態４では、制御部１０が閲覧単語履歴データベース９６に基づいて、改行位置決定処理を実行するか否かを判定する点が実施形態１〜実施形態３と異なる。以下、実施形態４について、実施形態１〜実施形態３と異なる事項について説明し、実施形態１〜実施形態３と重複する部分についての説明は割愛する。
【００８３】
図１２は、実施形態４に係る表示処理装置１００の構成を示すブロック図である。図１２に示すように、記憶部９は、閲覧単語履歴データベース９６を更に記憶する。閲覧単語履歴データベース９６には、複数の閲覧単語履歴９６１が登録される。閲覧単語履歴９６１は、改行禁止単語９１１及び改行位置指定単語９２１のうち、ユーザーが閲覧したことがある単語の履歴９６１を示す。以下、改行禁止単語９１１及び改行位置指定単語９２１のうち、ユーザーが閲覧した単語を「閲覧単語」と記載する。
【００８４】
閲覧単語履歴９６１を示す情報は、閲覧単語を閲覧したユーザーを識別する情報と、閲覧単語を示す情報とを含む。以下、閲覧単語を閲覧したユーザーを「単語閲覧ユーザー」と記載し、単語閲覧ユーザーを識別する情報を「単語閲覧ユーザー識別情報」と記載する。なお、単語閲覧ユーザー識別情報は、例えば、実施形態２で説明した認証処理によって取得される。
【００８５】
本実施形態において、制御部１０は、ディスプレー２１に表示画面Ｇを表示させる際に、表示対象単語が１行の末尾を越えると判定すると、第３実行判定処理を実行する。以下、ディスプレー２１に表示させる表示画面Ｇを「第２対象表示画面Ｇ」と記載する。
【００８６】
第３実行判定処理において、制御部１０は、閲覧単語履歴データベース９６を参照して、第２対象表示画面Ｇを閲覧しようとするユーザーが閲覧単語を閲覧したことがあるか否かを判定することにより、改行位置決定処理を実行するか否かを判定する。以下、第２対象表示画面Ｇを閲覧しようとするユーザーを「第２対象ユーザー」と記載する。
【００８７】
図１３は、実施形態４に係る第３実行判定処理を示すフローチャートである。図１３に示すように、制御部１０は、第２対象ユーザーが表示対象単語を閲覧したことがあるか否かを判定する（ステップＳ４０１）。詳しくは、制御部１０は、第２対象ユーザーを識別する情報と単語閲覧ユーザー識別情報とが一致し、且つ、表示対象単語を示す情報と閲覧単語を示す情報とが一致する閲覧単語履歴９６１を、閲覧単語履歴データベース９６の中から探索することにより、第２対象ユーザーが表示対象単語を閲覧したことがあるか否かを判定する。
【００８８】
制御部１０は、第２対象ユーザーを識別する情報と単語閲覧ユーザー識別情報とが一致し、且つ、表示対象単語を示す情報と閲覧単語を示す情報とが一致する閲覧単語履歴９６１を、閲覧単語履歴データベース９６の中から探知すると、第２対象ユーザーが表示対象単語を閲覧したことがあると判定する（ステップＳ４０１；Ｙｅｓ）。制御部１０は、第２対象ユーザーが表示対象単語を閲覧したことがあると判定すると（ステップＳ４０１；Ｙｅｓ）、改行位置決定処理を実行することなく、第３実行判定処理を終了する。
【００８９】
一方、制御部１０は、第２対象ユーザーを識別する情報と単語閲覧ユーザー識別情報とが一致し、且つ、表示対象単語を示す情報と閲覧単語を示す情報とが一致する閲覧単語履歴９６１を、閲覧単語履歴データベース９６の中から探知できない場合、第２対象ユーザーが表示対象単語を閲覧したことがないと判定する（ステップＳ４０１；Ｎｏ）。制御部１０は、第２対象ユーザーが表示対象単語を閲覧したことがないと判定すると（ステップＳ４０１；Ｎｏ）、改行位置決定処理（ステップＳ４０２）を実行して、第３実行判定処理を終了する。
【００９０】
続いて、図６（ｂ）、及び図１４を参照して、実施形態４に係る表示画面Ｇについて説明する。
【００９１】
図１４は、実施形態４に係る改行位置指定単語９２１を含む文章Ｓ２を示す図である。詳しくは、図１４は、実施形態１で説明した表示画面Ｇ（図６（ｂ）参照）がディスプレー２１に表示された以降に表示される表示画面Ｇを示す。以下、図６（ｂ）に示す表示画面Ｇを「先行表示画面Ｇ」と記載し、図１４に示す表示画面Ｇを「後行表示画面Ｇ」と記載する。なお、先行表示画面Ｇと、後行表示画面Ｇとは、同一ユーザー（第２対象ユーザー）によって閲覧される。
【００９２】
図１４に示すように、表示画面Ｇは、１行に１０文字の文字を表示することができる。文章Ｓ２は、「シリアルインターフェイスのクックレートを設定します。」である。文章Ｓ２は、改行位置指定単語９２１「シリアルインターフェイス」（図４参照）を含む。文章Ｓ１の１０文字目の文字は、改行位置指定単語９２１「シリアルインターフェイス」の「フ」と「イ」との間の文字「ェ」である。
【００９３】
図６（ｂ）を参照して説明したように、改行位置決定処理が実行される場合、文章Ｓ１は、「シリアル」と「インターフェイスの」との間で改行される。すなわち、文章Ｓ１は、改行禁止単語９１１「シリアルインターフェイス」の指定位置で改行される。
【００９４】
しかしながら、改行位置指定単語９２１「シリアルインターフェイス」は、先行表示画面Ｇに含まれる文章Ｓ１に含まれており（図６（ｂ）参照）、後行表示画面Ｇがディスプレー２１に表示される前に、ディスプレー２１に表示されている。第２対象ユーザーは、改行位置指定単語９２１「シリアルインターフェイス」を閲覧したことがある。換言すると、改行位置指定単語９２１「シリアルインターフェイス」は、閲覧単語である。したがって、本実施形態では、改行位置指定単語９２１「シリアルインターフェイス」に対する改行位置決定処理が実行されない。この結果、図１４に示すように、文章Ｓ２は、「シリアルインターフェ」と「イスのクロックレート」との間、及び「イスのクロックレート」と「を設定します。」との間で改行される。換言すると、文章Ｓ２は、「シリアルインターフェイス」の指定位置で改行されることなく、表示画面Ｇに表示される。
【００９５】
以上、実施形態４について説明した。一般に、ユーザーは、過去に閲覧したことがある単語は判読しやすい。一方で、改行箇所が多くなりすぎると、判読性が低下する虞がある。本実施形態によれば、制御部１０は、第２対象ユーザーが閲覧単語を閲覧したことがあるか否かを判定することにより、改行位置決定処理を実行するか否かを判定する。よって、ユーザーの判読性の低下を抑制する。
【００９６】
［実施形態５］
続いて、図１５〜図１７を参照して、実施形態５に係る表示処理装置１００について説明する。実施形態５では、制御部１０が操作履歴データベース９７に基づいて、改行位置決定処理を実行するか否かを判定する点が実施形態１〜実施形態４と異なる。以下、実施形態５について、実施形態１〜実施形態４と異なる事項について説明し、実施形態１〜実施形態４と重複する部分についての説明は割愛する。
【００９７】
図１５は、実施形態５に係る表示処理装置１００の構成を示すブロック図である。図１５に示すように、記憶部９は、操作履歴データベース９７を更に記憶する。操作履歴データベース９７は、複数の操作履歴９７１が登録される。複数の操作履歴９７１の各々は、表示画面Ｇにおけるユーザーの操作履歴９７１を示す。本実施形態において、複数の操作履歴９７１の各々は、表示画面Ｇにおいて、ユーザーがスクロール操作を行った履歴を示す。
【００９８】
複数の操作履歴９７１の各々を示す情報は、スクロール操作を行ったユーザーを識別する情報を含む。以下、スクロール操作を行ったユーザーを「操作ユーザー」と記載し、操作ユーザーを識別する情報を「操作ユーザー識別情報」と記載する。なお、操作ユーザー識別情報は、例えば、実施形態２で説明した認証処理によって取得される。
【００９９】
本実施形態において、制御部１０は、ディスプレー２１に表示画面Ｇを表示させる際に、表示対象単語が１行の末尾を越えると判定すると、第４実行判定処理を実行する。以下、ディスプレー２１に表示させる表示画面Ｇを「第３対象表示画面Ｇ」と記載する。
【０１００】
第４実行判定処理において、制御部１０は、操作履歴データベース９７を参照して、第３対象表示画面Ｇを閲覧しようとするユーザーがスクロール操作を行ったユーザー（操作ユーザー）であるか否かを判定する。以下、第３対象表示画面Ｇを閲覧しようとするユーザーを「第３対象ユーザー」と記載する。
【０１０１】
図１６は、実施形態５に係る第４実行判定処理を示すフローチャートである。図１６に示すように、制御部１０は、第３対象ユーザーが操作ユーザーであるか否かを判定する（ステップＳ５０１）。詳しくは、制御部１０は、第３対象ユーザーを識別する情報と操作ユーザー識別情報とが一致する操作履歴９７１を操作履歴データベース９７の中から探索することにより、第３対象ユーザーが操作ユーザーであるか否かを判定する。
【０１０２】
制御部１０は、第３対象ユーザーを識別する情報と操作ユーザー識別情報とが一致する操作履歴９７１を操作履歴データベース９７の中から探知すると、第３対象ユーザーが操作ユーザーであると判定する（ステップＳ５０１：Ｙｅｓ）。制御部１０は、第３対象ユーザーが操作ユーザーであると判定すると（ステップＳ５０１：Ｙｅｓ）、改行位置決定処理を実行することなく、第３実行判定処理を終了する。
【０１０３】
一方、制御部１０は、第３対象ユーザーを識別する情報と操作ユーザー識別情報とが一致する操作履歴９７１を操作履歴データベース９７の中から探知できない場合、第３対象ユーザーが操作ユーザーではないと判定する（ステップＳ５０１：Ｎｏ）、制御部１０は、第３対象ユーザーが操作ユーザーではないと判定すると（ステップＳ５０１：Ｎｏ）、改行位置決定処理を実行して（ステップＳ５０２）、第３実行判定処理を終了する。
【０１０４】
続いて、図１７（ａ）及び図１７（ｂ）を参照して、実施形態５に係る表示画面Ｇについて説明する。図１７（ａ）及び図１７（ｂ）は、実施形態５に係る改行位置指定単語９２１を含む文章Ｓ３を示す図である。詳しくは、図１７（ａ）は、改行位置決定処理が実行された場合の表示画面Ｇを示し、図１７（ｂ）は、改行位置決定処理が実行されない場合の表示画面Ｇを示す。また、図１７（ｂ）は、図１７（ａ）に示す表示画面Ｇがディスプレー２１に表示された以降に表示される表示画面Ｇを示す。以下、図１７（ａ）に示す表示画面Ｇを「先行表示画面Ｇ」と記載し、図１７（ｂ）に示す表示画面Ｇを「後行表示画面Ｇ」と記載する。なお、先行表示画面Ｇと後行表示画面Ｇとは、同一ユーザー（第３対象ユーザー）によって閲覧される。
【０１０５】
図１７（ａ）及び図１７（ｂ）に示す例において、表示画面Ｇは、１行に１０文字の文字を表示することができる。文章Ｓ３は、「シリアルインターフェイスのボーレートを設定します。シリアルインターフェイスのクロックレートを設定します。」である。文章Ｓ３は、改行位置指定単語９２１「シリアルインターフェイス」（図４参照）を含む。文章Ｓ３の１０文字目の文字は、改行位置指定単語９２１「シリアルインターフェイス」の「フ」と「イ」との間の文字「ェ」である。
【０１０６】
図１７（ａ）に示すように、改行位置決定処理が実行される場合において、文章Ｓ３は、改行位置指定単語９２１「シリアルインターフェイス」の指定位置「シリアル」と「インターフェイス」との間で改行される。したがって、図１７（ａ）に示す文章Ｓ３は、図１７（ｂ）に示す文章Ｓ３と比べて、改行位置が多く、文章Ｓ３の後半部分が表示画面Ｇに表示されない。
【０１０７】
一方、図１７（ｂ）に示すように、改行位置決定処理が実行されない場合、文章Ｓ３は、改行位置指定単語９２１「シリアルインターフェイス」の指定位置で改行されない。したがって、改行位置決定処理が実行される場合と比較して、より多くの文字が表示画面Ｇに表示される。したがって、ユーザーは、スクロール操作を行うことなく、より多くの文字を閲覧することができる。
【０１０８】
以上、実施形態５について説明した。本実施形態によれば、制御部１０は、ユーザーが操作ユーザーであるか（先行表示画面Ｇにおいてスクロール操作を行ったか）否かを判定し、ユーザーが操作ユーザーではないと判定すると、先行表示画面Ｇが表示された以降に表示される後行表示画面Ｇにおいて改行位置決定処理を実行しない。これにより、ユーザーは、改行位置決定処理が実行される場合に比べて、より多くの文字を閲覧できる。よって、ユーザーの利便性を向上させることができる。
【０１０９】
なお、本実施形態において、先行表示画面Ｇにおいてユーザーがスクロール操作を行わなかったと判定すると、先行表示画面Ｇが表示された以降に表示される表示画面Ｇ（後行表示画面Ｇ）において改行位置決定処理を実行しない場合を例に説明したが、制御部１０は、ユーザーがスクロール操作を行わなかった表示画面Ｇをディスプレー２１に表示する場合にのみ改行位置決定処理を実行しなくてもよい。この場合、制御部１０は、ユーザーと当該ユーザーがスクロール操作を行わなかった表示画面Ｇとを関連付けて操作履歴９７１に記憶させる。
【０１１０】
以上、本発明の実施形態について、図面（図１〜図１７）を参照しながら説明した。但し、本発明は、上記の実施形態に限られるものではなく、その要旨を逸脱しない範囲で種々の態様において実施することが可能である。また、上記の実施形態で示す構成は、一例であって特に限定されるものではなく、本発明の効果から実質的に逸脱しない範囲で種々の変更が可能である。
【０１１１】
例えば、本発明の実施形態では、携帯型端末のような電子機器に本発明が適用される場合を例に説明したが、本発明は、タブレット型のパーソナルコンピューターのような携帯型端末以外の電子機器にも適用可能である。
【０１１２】
また、各実施形態１〜５において説明した事項は、適宜組み合わせ可能である。例えば、実施形態４で説明した事項と、実施形態５で説明した事項とを組み合わせてもよい。
【産業上の利用可能性】
【０１１３】
本発明は、例えば、表示処理装置の分野に有用である。
【符号の説明】
【０１１４】
９          記憶部
１０        制御部
２１        ディスプレー（表示部）
１００      表示処理装置
【図１】
2020016781.tif 000003
【図２】
2020016781.tif 000004
【図３】
2020016781.tif 000005
【図４】
2020016781.tif 000006
【図５】
2020016781.tif 000007
【図６】
2020016781.tif 000008
【図７】
2020016781.tif 000009
【図８】
2020016781.tif 000010
【図９】
2020016781.tif 000011
【図１０】
2020016781.tif 000012
【図１１】
2020016781.tif 000013
【図１２】
2020016781.tif 000014
【図１３】
2020016781.tif 000015
【図１４】
2020016781.tif 000016
【図１５】
2020016781.tif 000017
【図１６】
2020016781.tif 000018
【図１７】
2020016781.tif 000019